(57)【要約】【課題】紐状の弾性部材によって防水される精密機器の防水性を向上する。【解決手段】第１の筐体１０と、第１の筐体１０に接合する第２の筐体２０と、第１の筐体の第２の筐体への接合部に沿って設けられた溝部１１と、溝部１１に沿って収容された紐状の弾性部材３０の第１の端部３０ａと、第１の端部３０ａと並行しかつ接して配置された弾性部材３０の第２の端部３０ｂと、第２の筐体２０の第１の筐体１０への接合部に沿って形成され、第１の端部３０ａと第２の端部３０ｂとを押圧する押圧部２１と、溝部１１のうち第１の端部３０ａと第２の端部３０ｂとの接部が配置される接合箇所収容部１１ａの一部に、溝部１１と押圧部２１とに挟まれた空間部の横断面積が、当該箇所に収容される第１の端部３０ａと第２の端部３０ｃとの横断面積の和よりも小さくなる密封部とを備える精密機器の防水構造とする。【選択図】図１
2005337273.tif 000002
【特許請求の範囲】
【請求項１】
第１の筐体と、
前記第１の筐体に接合する第２の筐体と、
前記第１の筐体の前記第２の筐体への接合部に沿って設けられた溝部と、
前記溝部に沿って収容された紐状の弾性部材の第１の端部と、
前記溝部に沿って収容され、前記第１の端部と並行しかつ接して配置された紐状の弾性部材の第２の端部と、
前記第２の筐体の前記第１の筐体への接合部に沿って形成され、前記第１の端部と前記第２の端部とを押圧する押圧部と、
前記溝部のうち前記第１の端部と前記第２の端部との接部が配置される接合箇所収容部の一部に、前記溝部と前記押圧部とに挟まれた空間部の前記溝部の長手方向と直交する方向における横断面積が、当該箇所に収容される前記第１の端部と前記第２の端部との横断面積の和よりも小さくなる密封部とを備える精密機器の防水構造。
【請求項２】
請求項１に記載の精密機器の防水構造において、
前記密封部は、前記空間部の横断面積が部分的に小さく形成されていること
を特徴とする精密機器の防水構造。
【請求項３】
請求項１又は請求項２に記載の精密機器の防水構造において、
前記密封部は、前記第１の端部と前記第２の端部の少なくとも一方の横断面積が部分的に大きく形成されていること
を特徴とする精密機器の防水構造。
【請求項４】
請求項１から請求項３までのいずれか１項に記載の精密機器の防水構造において、
前記溝部の前記接合箇所収容部は、前記空間部の横断面積と、当該箇所に収容される前記第１の端部及び前記第２の端部の横断面積の和との差が、前記弾性部材の長手方向に沿って連続的に変化すること
を特徴とする精密機器の防水構造。
【請求項５】
請求項４に記載の精密機器の防水構造において、
前記溝部の前記接合箇所収容部は、前記空間部の横断面積と、当該箇所に収容される前記第１の端部及び前記第２の端部の横断面積の和との差が連続的に変化する範囲の長さが、前記第１の端部と前記第２の端部との配列方向における前記溝部の幅の２倍以下であること
を特徴とする精密機器の防水構造。
【発明の詳細な説明】
【技術分野】
【０００１】
本発明は、例えば、光学機器等の精密機器の筐体の接合部に備えられる防水構造に関するものである。
【背景技術】
【０００２】
カメラ等の精密機器は、水沫にさらされ、また水中で使用する等の使用条件に対応するために、その外装に防水構造を備える場合がある。
特許文献１は、カメラの本体と、この本体の背面側に設けられ、開閉可能な裏蓋との間に、弾性材によって形成されたパッキンを配置する防水構造が記載されている。
【０００３】
また、精密機器の防水構造において、相互に接合される筐体のうち、一方の筐体の他方への接合面に沿って環状に延在する溝部を形成し、その周回りに弾性部材を収容して、他方の筐体に形成された突状部等の押圧部によって押圧することが提案されている。
このような弾性部材として、例えば環状のものを用いることもできるが、この場合、筐体の溝部の周長と弾性部材の周長とを調整する時に、筐体又は弾性部材を形成する金型の加工が必要となり煩雑である。
これに対し、紐状の弾性部材を用いると、その両端部をオーバーラップさせて並列に配置し、この並列の部分の長さを変えることによって、その周長の調整が容易に行える。
【０００４】
図１０は、紐状の弾性部材を有する防水構造を備えたカメラの従来例における筐体の要部分解斜視図である。図１１は、図１０のカメラの筐体を接合したときの断面を示す図である。図１２は、図１１のXII−XII部矢視断面図である。図１３は、図１１のXIII−XIII部矢視断面図である。
【０００５】
このカメラは、第１の筐体１１０と、第１の筐体に接合される第２の筐体１２０と、これらの間に挿入される糸ゴム１３０とを備えている。なお、図１０では、理解を容易にするために、第２の筐体１２０は裏返しにして図示し、第１の筐体１１０との接合面を手前に向けた状態を示している。
【０００６】
第１の筐体１１０は、第２の筐体１２０との接合部に沿って延在する環状の溝部１１１が形成されている。
第２の筐体１２０は、第１の筐体１１０との接合部に沿って延在し、溝部１１１に挿入される突状１２１が形成されている。
突状１２１の高さは溝部１１１の溝深さよりも小さく、第１の筐体１１０と第２の筐体１２０とを接合した時に、突状１２１の突端部と溝部１１１の溝底面との間に、空間部が形成されるようになっている。
【０００７】
糸ゴム１３０は、第１の筐体１１０の縁部の周回りに沿って、溝部１１１内に収容されている。糸ゴム１３０の長さは、溝部１１１の周長よりも長く、糸ゴム１３０の両端部は、所定の長さにわたって、各端部を互い違いにした状態で、並行して配列されている。
溝部１１１は、糸ゴム１３０が並行に配列された部分を収容するため、幅広部１１１ａが設けられている。
また、突状１２１は、幅広部１１１ａ内に並行に配列された糸ゴム１３０を押圧するため、幅広部１２１ａが設けられている。
そして、溝部１１１内に糸ゴム１３０を収容し、第１の筐体１１０と第２の筐体１２０とを接合すると、糸ゴム１３０は突状１２１によって押圧され変形し、その側面が突状１２１の突端面及び溝部１１１の溝底面に面接触することによって防水効果を発揮する。
【０００８】
しかし、上述した防水構造においては、図１３に示すように、糸ゴム１３０の両端部が相互に接する箇所において、この両端部の接合面に沿って隙間１４０が形成され、図１１の矢印１５０に示す経路から水が浸入し、防水性能が低下してしまう。
【特許文献１】特開平８−１０６１２１号公報
【発明の開示】
【発明が解決しようとする課題】
【０００９】
本発明の課題は、紐状の弾性部材によって防水され、その接部における防水性を向上した精密機器の防水構造を提供することである。
【課題を解決するための手段】
【００１０】
本発明は、以下のような解決手段により、前記課題を解決する。なお、理解を容易にするために、本発明の実施例に対応する符号を付して説明するが、本発明はこれに限定されるものではない。
【００１１】
請求項１の発明は、第１の筐体（１０）と、前記第１の筐体（１０）に接合する第２の筐体（２０）と、前記第１の筐体（１０）の前記第２の筐体（２０）への接合部に沿って設けられた溝部（１１）と、前記溝部（１１）に沿って収容された紐状の弾性部材（３０）の第１の端部（３０ａ）と、前記溝部（１１）に沿って収容され、前記第１の端部（３０ａ）と並行しかつ接して配置された紐状の弾性部材（３０）の第２の端部（３０ｂ）と、前記第２の筐体（２０）の前記第１の筐体（１０）への接合部に沿って形成され、前記第１の端部（３０ａ）と前記第２の端部（３０ｂ）とを押圧する押圧部（２１）と、前記溝部（１１）のうち前記第１の端部（３０ａ）と前記第２の端部（３０ｂ）との接部が配置される接合箇所収容部（１１ａ）の一部に、前記溝部（１１）と前記押圧部（２１）とに挟まれた空間部の前記溝部（１１）の長手方向と直交する方向における横断面積が、当該箇所に収容される前記第１の端部（３０ａ）と前記第２の端部（３０ｂ）との横断面積の和よりも小さくなる密封部とを備える精密機器の防水構造である。
【００１２】
請求項２の発明は、請求項１に記載の精密機器の防水構造において、前記密封部は、前記空間部の横断面積が部分的に小さくされていることを特徴とする精密機器の防水構造である。
【００１３】
請求項３の発明は、請求項１又は請求項２に記載の精密機器の防水構造において、前記密封部は、前記第１の端部（３０ａ）と前記第２の端部（３０ｂ）の少なくとも一方の横断面積が部分的に大きく形成されていることを特徴とする精密機器の防水構造である。
【００１４】
請求項４の発明は、請求項１から請求項３までのいずれか１項に記載の精密機器の防水構造において、前記溝部（１１）の前記接合箇所収容部（１１ａ）は、前記空間部の横断面積と、当該箇所に収容される前記第１の端部（３０ａ）及び前記第２の端部（３０ｂ）の横断面積との差が、前記弾性部材（３０）の長手方向に沿って連続的に変化することを特徴とする精密機器の防水構造である。
【００１５】
請求項５の発明は、請求項４に記載の精密機器の防水構造において、前記溝部（１１）の前記接合箇所収容部は、前記空間部の横断面積と、当該箇所に収容される前記第１の端部（３０ａ）及び前記第２の端部（３０ｂ）の横断面積の和との差が連続的に変化する範囲の長さが、前記第１の端部（３０ａ）と前記第２の端部（３０ｂ）との配列方向における前記溝部（１１）の幅の２倍以下であることを特徴とする精密機器の防水構造である。
【発明の効果】
【００１６】
本発明によれば、溝部と押圧部との挟まれた空間部内に、弾性部材の第１の端部と第２の端部とを収容した時に、密封部では第１の端部と第２の端部によって空間部内が略密封され、水が浸入可能な隙間が形成されないから、防水性を向上することができる。
また、密封部は、弾性部材の長手方向の一部に形成されるから、弾性部材が空間部を密封してなお余剰な容積に相当する部分は、他の部分に押し出されるから、第１の筐体と第２の筐体との接合の妨げとならない。
【発明を実施するための最良の形態】
【００１７】
本発明は、紐状の弾性部材の接部における防水性を向上するという課題を、筐体の溝部に沿って収容される糸ゴムの両端部を突状によって押圧する箇所の一部に、溝と突状によって囲まれた空間部の横断面積が、糸ゴムの両端部の横断面積の輪よりも小さくなる密封部を備えることによって解決する。
【実施例１】
【００１８】
以下、図面等を参照して、本発明の実施例をあげて、さらに詳しく説明する。
図１は、本発明の防水構造の実施例１を備えるカメラの筐体の要部分解斜視図である。図２は、図１のカメラの筐体を接合したときの断面を示す図である。図３は、図２のIII−III部矢視断面図である。図４は、図２のIV−IV部矢視断面図である。図５は、図２のV−V部矢視断面図である。なお、図２及び図４は、図中右側がカメラの内部、左側がカメラの外部をそれぞれ示す。
【００１９】
このカメラは、第１の筐体１０と、第２の筐体２０と、これらの間に挿入される弾性部材である糸ゴム３０（図１では図示しない。図２から図４を参照。）とを備えている。
第１の筐体１０及び第２の筐体２０は、２つ割のケース状に形成され、その開口縁どうしを接合されるものである。
【００２０】
第１の筐体１０は、第２の筐体２０との接合部に沿って、その周回りに延在し、糸ゴム３０が収容される環状の溝部１１が形成されている。
第２の筐体２０は、第１の筐体１０との接合部に沿って延在し、溝部１１内に挿入され、糸ゴム３０を押圧する突状２１が形成されている。突状２１は、略矩形の横断面を有し、図１に示すように、その角部は、Ｃ面取りが施されている。なお、このＣ面取り部は、図２から図４においては図示を省略する。
突状２１の高さは、溝部１１の溝深さよりも小さく形成され、第１の筐体１０と第２の筐体２０とを接合した状態において、突状２１の突端部と、溝部１１の溝底面との間に、空間部が形成されるようになっている。
なお、第１の筐体１０及び第２の筐体２０は、例えば、１０重量％のガラス繊維を含有するポリカーボネイト樹脂によって形成されるが、他の材料であってもよい。
【００２１】
糸ゴム３０は、紐状に形成された弾性部材であって、溝部１１に沿って収容されている。糸ゴム３０の長さは、溝部１１の周長よりも長く、糸ゴム３０の端部３０ａ，３０ｂは、所定の長さにわたって、それぞれ反対向きに並行し、相互に接して配列されている。糸ゴム３０は、例えば、２．５重量％のナフテン系油が配合された硬度１７°のシリコンゴムによって形成されるが、他の弾性材料によって形成してもよい。
また、溝部１１は、糸ゴム３０の端部３０ａ、３０ｂが並行に配列された部分（接部）を収容するため、幅広部１１ａが設けられている。また、突状２１は、幅広部１１ａ内において端部３０ａ，３０ｂを押圧するため、幅広部２１ａが設けられている。
【００２２】
溝部１１は、その幅広部１１ａの溝底面に凸部１２が設けられている。凸部１２は、溝部１１の長手方向と直交する方向の全幅にわたって延在する突状である。
凸部１２は、略台形の横断面を有し、その溝底面からの高さは連続的に変化している。
ここで、例えば、溝部１１の幅広部１１ａの溝幅が１．２ｍｍ、溝深さが１．０ｍｍ、突状２１の高さが０．６ｍｍであり、押圧されていない状態での糸ゴム３０の直径が０．５７ｍｍである時に、凸部１２の高さＨは、例えば、０．１５ｍｍである。この突状の高さは、図４に示すように、凸部１２が溝底面から最も張り出した箇所である上面１２ａと、突状２１との間に挟まれた空間部の横断面積が、糸ゴム３０の端部３０ａ、３０ｂの横断面積の和よりも小さくなるように設定される。
【００２３】
ここで、糸ゴム３０の横断面積をＡ、溝部１１の幅広部１１ａの幅をｘ、凸部１２以外の箇所における空間部の高さをｙ１、凸部１２の高さをｙ２とすると、各数値は、下記する式１を満たすように設定する。
ｙ２  ＞  ｙ１−２Ａ／ｘ  ・・（式１）
【００２４】
これによって、第１の筐体１０と第２の筐体２０とを接合した時に、上述した空間部は糸ゴム３０によって略埋め尽くされ、密封される。
また、糸ゴム３０がこの空間部を密封してなお余剰な容積に相当する部分は、糸ゴム３０の長手方向に沿って、凸部１２がない部分の空間部内へ押し出され、図５に示す空間部の四隅の隙間１３に収容される。
溝部１１の長手方向における凸部１２の上面１２ａの幅Ｌは、例えば０．３ｍｍである。また、凸部１２の両側に設けられた斜面が、溝底面に対してなす角度θは、例えば約３０°である。
ここで、糸ゴム３０の長手方向において、上述した式１を満たす範囲の長さは、大きすぎると、糸ゴム３０の余剰な容積に相当する部分が他の部分に押し出される妨げとなるので、溝部１１の幅広部１１ａの幅の２倍以下であるとよい。
【００２５】
以上説明した実施例１によれば、凸部１２の上面１２ａが設けられた溝部１１の領域では、空間部内は糸ゴム３０によって略密封され、水が浸入する隙間が実質的に存在しないから、防水性を向上することができる。
なお、突状２１のＣ面取りされた箇所は、糸ゴム３０が完全には押し込まれにくく、微小な隙間が形成される場合もあるが、この場合であっても、カメラ内部への水の浸入経路となる端部３０ａ、３０ｂの接部には隙間は形成されないから、防水性は確保される。
また、糸ゴム３０が上述した空間部を密封してなお余剰な容積に相当する部分は、糸ゴム３０の長手方向に沿って、凸部１２の両側の領域に押し出されるから、余剰な糸ゴム３０の逃げ場がないことに起因して、第１の筐体１０と第２の筐体２０との接合が困難になる問題が生じない。
【実施例２】
【００２６】
図６は、本発明の防水構造の実施例２を備えるカメラの筐体を接合したときの断面を示す図である。図７は、図６のVII−VII部矢視断面図である。図８は、図６のVIII−VIII部矢視断面図である。図９は、図６のIX−IX部矢視断面図である。
なお、上述した実施例１と同様の箇所については同じ符号を付して説明を省略し、相違点について説明する。
【００２７】
実施例２は、上述した実施例１の凸部１２に代えて、突状２１の突端面に凸部２２を形成している。凸部２２は、突状２１が溝部１１の溝底面と対向する面に、その横方向に延在する突条状となっている。突状２１の長手方向における凸部２２の断面形状は、実施例１の凸部１２と略同じである。
以上説明した実施例２においても、上述した実施例１と同様の効果を得ることができる。
【００２８】
（変形例）
本発明は、以上説明した実施例に限定されることなく、種々の変形や変更が可能であって、それらも本発明の均等の範囲内である。
（１）各実施例はカメラに係るものであったが、本発明はこれに限らず、例えば、スピードライト（閃光発光装置）、レンズ鏡筒、双眼鏡、単眼鏡等の光学機器や、他の精密機器にも適用することができる。
（２）各実施例は、溝部の溝底面又は突状の突端面に凸部を設けることによって、空間部の横断面積を糸ゴムの横断面積よりも小さくしているが、糸ゴムの少なくとも一方の端部に、部分的に横断面積が大きい部分を設けてもよい。この場合にも、空間部内が糸ゴムによって密封される部分が形成され、防水性が向上される。
（３）各実施例は、糸ゴム３０の両端部３０ａ、３０ｂを、第１の筐体１０と第２の筐体２０とを接合する方向に対して直交する方向に配列したが、これに限らず、他の方向に配列してもよい。例えば、両端部３０ａ、３０ｂを、各筐体１０、２０の接合方向に配列してもよい。この場合には、その接合部を収容する箇所において、溝部はその深さを大きく形成するとよい。
（４）各実施例では、弾性部材の糸ゴム３０は１本であるが、２本以上の弾性部材を用いて、その接合部に本発明を適用してもよい。
【図面の簡単な説明】
【００２９】
【図１】本発明の防水構造の実施例１を備えるカメラの筐体の要部分解斜視図である。
【図２】図１のカメラの筐体を接合したときの断面図である。
【図３】図２のIII−III部矢視断面図である。
【図４】図２のIV−IV部矢視断面図である。
【図５】図２のV−V部矢視断面図である。
【図６】本発明の防水構造の実施例２を備えるカメラの筐体の断面図である。
【図７】図６のVII−VII部矢視断面図である。
【図８】図６のVIII−VIII部矢視断面図である。
【図９】図６のIX−IX部矢視断面図である。
【図１０】従来例に係るカメラの筐体の要部分解斜視図である。
【図１１】図１０のカメラの筐体を接合したときの断面図である。
【図１２】図１１のXII−XII部矢視断面図である。
【図１３】図１１のXIII−XIII部矢視断面図である。
【符号の説明】
【００３０】
１０      第１の筐体
１１      溝部
１２      凸部
２０      第２の筐体
２１      押圧部
３０      糸ゴム
３０ａ    第１の端部
３０ｂ    第２の端部
【図１】
2005337273.tif 000003
【図２】
2005337273.tif 000004
【図３】
2005337273.tif 000005
【図４】
2005337273.tif 000006
【図５】
2005337273.tif 000007
【図６】
2005337273.tif 000008
【図７】
2005337273.tif 000009
【図８】
2005337273.tif 000010
【図９】
2005337273.tif 000011
【図１０】
2005337273.tif 000012
【図１１】
2005337273.tif 000013
【図１２】
2005337273.tif 000014
【図１３】
2005337273.tif 000015